(57)【要約】  【課題】ユーザのログイン情報を他のユーザに知らせることなく、このユーザの情報を他のユーザに提供することを可能とする技術を提供する。  【解決手段】情報提供装置１は、サーバ３Ａ、３Ｂからユーザのサービス利用情報を収集して蓄積する。また、ユーザ端末２Ａ、２Ｂから取得要求者および取得対象者の指定を伴う情報取得要求を受け付けた場合に、他のユーザにサービス利用情報を提供可能なグループウェアサービスのサービス種別が記述された取得対象者の情報提供許可リストに基づいて、取得対象者が取得要求者にサービス情報の提供可能なグループウェアのサービス種別を判断する。そして、取得対象者が取得要求者にサービス情報を提供可能なサービス種別があるならば、自身に蓄積されている取得対象者のサービス利用情報から、このサービス種別のサービス利用情報を抽出し、情報取得要求の送信元のユーザ端末２Ａ、２Ｂに送信する。【選択図】図１
2018133041.tif 000002
【特許請求の範囲】
【請求項１】
ユーザの情報を収集し提供する情報提供装置であって、
ユーザにサービスを提供するサーバから、当該サービスに関連して当該サーバに蓄積されたユーザの情報を収集する情報収集手段と、
前記情報収集手段により収集されたユーザの情報を記憶する情報記憶手段と、
ユーザ毎に、当該ユーザが他のユーザに提供可能な情報の種別が記述された情報提供許可リストを記憶する情報提供許可リスト記憶手段と、
取得要求者および取得対象者の指定を伴う情報取得要求を受信する情報取得要求受信手段と、
前記情報取得要求受信手段により受信された情報取得要求で指定されている取得対象者に対応付けられて前記情報提供許可リスト記憶手段に記憶されている情報提供許可リストに基づいて、当該取得対象者が前記情報取得要求で指定されている取得要求者に提供可能な情報の種別を判断する提供可否判断手段と、
前記提供可否判断手段により前記取得対象者が前記取得要求者に提供可能な情報の種別があると判断された場合に、前記情報記憶手段に記憶されている当該取得対象者の情報のなかから当該種別の情報を抽出して、前記情報取得要求の送信元に送信する情報提供手段と、を備える
ことを特徴とする情報提供装置。
【請求項２】
請求項１に記載の情報提供装置であって、
ユーザ毎に、当該ユーザが利用するサービスを提供するサーバのアドレス情報を含む収集先情報が記憶された収集先情報記憶手段と、
更新要求者の指定を伴う情報更新通知を受信する更新通知受信手段と、をさらに備え、
前記情報収集手段は、
前記更新通知受信手段により受信された情報更新通知で指定されている更新要求者に対応付けられて前記収集先情報記憶手段に記憶されている収集先情報により特定されるサーバにアクセスして、当該サーバから当該更新要求者の情報を収集する
ことを特徴とする情報提供装置。
【請求項３】
請求項１に記載の情報提供装置であって、
ユーザ毎に、当該ユーザが利用するサービスを提供するサーバのアドレス情報を含む収集先情報が記憶された収集先情報記憶手段をさらに備え、
前記情報取得要求受信手段が情報取得要求を受信した場合に、前記情報提供手段が当該情報取得要求の送信元に当該情報取得要求で指定されている取得対象者の情報を送信するのに先立って、前記情報収集手段は、当該取得対象者に対応付けられて前記収集先情報記憶手段に記憶されている収集先情報により特定されるサーバにアクセスして、当該サーバから当該取得対象者の情報を収集する
ことを特徴とする情報提供装置。
【請求項４】
請求項２または３に記載の情報提供装置であって、
前記情報収集手段により収集されたユーザの情報に、前記収集先情報記憶手段に収集先情報が記憶されている他のユーザが所定立場のユーザとして含まれている場合に、当該他のユーザに対応付けられて前記収集先情報記憶手段に記憶されている収集先情報により特定されるサーバにアクセスして、当該サーバに蓄積されている当該他のユーザの情報に、前記情報収集手段により収集されたユーザの情報を反映させる情報反映手段をさらに備える
ことを特徴とする情報提供装置。
【請求項５】
情報提供装置によりユーザの情報を収集し提供する情報提供方法であって、
前記情報提供装置は、
ユーザにサービスを提供するサーバから、当該サービスに関連して当該サーバに蓄積されたユーザの情報を収集して記憶し、
情報取得要求を受信した場合に、当該情報取得要求で指定されている取得対象者に対応付けられて予め登録されている情報提供許可リストに基づいて、当該取得対象者が前記情報取得要求で指定されている取得要求者に提供可能な情報種別を判断し、
当該取得対象者が当該取得要求者に提供可能な情報種別があると判断した場合に、前記サーバから収集して記憶した当該取得対象者の情報のなかから当該提供可能な情報種別の情報を抽出して、前記情報取得要求の送信元に送信する
ことを特徴とする情報提供方法。
【発明の詳細な説明】
【技術分野】
【０００１】
本発明は、情報を収集し提供する技術に関し、特に、クラウドサービスを提供するサーバからユーザの情報を収集し提供する技術に関する。
【背景技術】
【０００２】
特許文献１には、ユーザが複数の事業者により提供されるサービスの自身の利用に関する情報を管理することができる技術が開示されている。この技術において、ユーザ端末は、ユーザの識別情報とユーザによって設定された提供可能な情報とを提供情報取得端末に送信するとともに、ユーザの識別情報の履歴を共有サーバに送信する。提供情報取得端末は、ユーザ端末から受信した識別情報および提供可能な情報に、ユーザが利用したサービスに関する情報を付加し、それらの情報を共有サーバに送信する。共有サーバは、提供情報取得端末から受信した情報を記憶するとともに、ユーザ端末より受信した識別情報の履歴に基づいて、提供情報取得端末から受信して記憶した情報のなかからユーザの情報を抽出し、抽出した情報に対して共通のユーザの情報であることを関連付ける。
【先行技術文献】
【特許文献】
【０００３】
【特許文献１】特開２０１６−３８７７６号公報
【発明の概要】
【発明が解決しようとする課題】
【０００４】
特許文献１に記載の技術によれば、ユーザは、複数の事業者のそれぞれに問い合わせなくても、これらの事業者が提供するサービスの自身の利用に関する情報を一元的に管理することができる。
【０００５】
しかしながら、特許文献１に記載の技術は、ユーザのサービスの利用に関する情報を他のユーザが利用することについて考慮していない。このため、例えば、各ユーザが利用するクラウドサービスの提供事業者が異なる場合、ログイン情報（ユーザＩＤ、パスワード）を交換しない限り、ユーザ間でサービスの利用に関する情報を共有することはできなかった。
【０００６】
本発明は上記事情に鑑みてなされたものであり、本発明の目的は、ユーザのログイン情報を他のユーザに知らせることなく、このユーザの情報を他のユーザに提供することを可能とする技術を提供することにある。
【課題を解決するための手段】
【０００７】
上記課題を解決するために、本発明は、ユーザにサービスを提供するサーバから、このサービスに関連してこのサーバに蓄積されたユーザのサービスの情報を収集して蓄積する。また、取得要求者および取得対象者の指定を伴う情報取得要求を受け付けた場合に、他のユーザに提供可能な情報種別が記述された取得対象者の情報提供許可リストに基づいて、取得対象者が取得要求者に提供可能な情報の種別を判断する。そして、取得対象者が取得要求者に提供可能な情報の種別があるならば、蓄積されている取得対象者の情報のなかから、この種別の情報を抽出し、情報取得要求の要求元に提供する。
【０００８】
例えば、本発明は、
ユーザの情報を収集し提供する情報提供装置であって、
ユーザにサービスを提供するサーバから、当該サービスに関連して当該サーバに蓄積されたユーザの情報を収集する情報収集手段と、
前記情報収集手段により収集されたユーザの情報を記憶する情報記憶手段と、
ユーザ毎に、当該ユーザが他のユーザに提供可能な情報種別が記述された情報提供許可リストを記憶する情報提供許可リスト記憶手段と、
取得要求者および取得対象者の指定を伴う情報取得要求を受信する情報取得要求受信手段と、
前記情報取得要求受信手段により受信された情報取得要求で指定されている取得対象者に対応付けられて前記情報提供許可リスト記憶手段に記憶されている情報提供許可リストに基づいて、当該取得対象者が前記情報取得要求で指定されている取得要求者に提供可能な情報種別を判断する提供可否判断手段と、
前記提供可否判断手段により前記取得対象者が前記取得要求者に提供可能な情報種別があると判断された場合に、前記情報記憶手段に記憶されている当該取得対象者の情報のなかから当該提供可能な情報種別の情報を抽出して、前記情報取得要求の送信元に送信する情報提供手段と、を備える。
【発明の効果】
【０００９】
本発明の情報提供装置は、取得要求者および取得対象者の指定を伴う情報取得要求を受け付けた場合に、予め登録されている取得対象者の情報提供許可リストに基づいて、取得対象者が取得要求者に提供可能な情報の種別を判断する。そして、取得対象者が取得要求者に提供可能な情報の種別があるならば、蓄積されている取得対象者の情報のなかから、この種別の情報を抽出し、情報取得要求の要求元に提供する。したがって、本発明によれば、ユーザは、自身のログイン情報を他のユーザに知らせることなく、自身の情報を他のユーザに提供することができる。
【図面の簡単な説明】
【００１０】
【図１】図１は、本発明の一実施の形態に係る情報提供装置１を含むネットワークシステムの概略構成図である。
【図２】図２は、情報提供装置１のサービス利用情報収集処理の一例を説明するためのシーケンス図である。
【図３】図３は、情報提供装置１のサービス利用情報提供処理の一例を説明するためのシーケンス図である。
【図４】図４は、情報提供装置１のサービス利用情報反映処理の一例を説明するためのシーケンス図である。
【図５】図５は、情報提供装置１の情報提供許可登録処理の一例を説明するためのシーケンス図である。
【図６】図６は、情報提供装置１の概略機能構成図である。
【図７】図７は、情報記憶部１０１の登録内容例を模式的に表した図である。
【図８】図８は、収集先情報記憶部１０２の登録内容例を模式的に表した図である。
【図９】図９は、情報提供許可リスト記憶部１０３の登録内容例を模式的に表した図である。
【図１０】図１０は、情報提供装置１の動作を説明するためのフロー図である。
【図１１】図１１は、図１０のＳ２１０（サービス利用情報収集処理）を説明するためのフロー図である。
【図１２】図１２は、図１０のＳ２２０（サービス利用情報反映処理）を説明するためのフロー図である。
【図１３】図１３は、図１０のＳ２４０（サービス利用情報提供処理）を説明するためのフロー図である。
【発明を実施するための形態】
【００１１】
以下に、本発明の一実施の形態について説明する。
【００１２】
図１は、本実施の形態に係る情報提供装置１を含むネットワークシステムの概略構成図である。
【００１３】
図示するように、本実施の形態に係る情報提供装置１は、インターネット４を介して、ユーザ端末２Ａ−１〜２Ａ−ｎ（以下、単にユーザ端末２Ａとも呼ぶ）、サーバ３Ａ、ユーザ端末２Ｂ−１〜２Ｂ−ｎ（以下、単にユーザ端末２Ｂとも呼ぶ）、サーバ３Ｂに接続されている。
【００１４】
ここで、ユーザ端末２Ａおよびサーバ３Ａはクラウドサービス網５Ａに接続されており、サーバ３Ａは、クラウドサービス網５Ａを介してユーザ端末２Ａのユーザに、スケジューラ、プレゼンス、掲示板等のサービスを統合的に提供するグループウェアサービスを提供するとともに、グループウェアサービスを利用したユーザ端末２Ａのユーザによるサービス利用内容を示すサービス利用情報を蓄積する。
【００１５】
また、ユーザ端末２Ｂおよびサーバ３Ｂはクラウドサービス網５Ｂに接続されており、サーバ３Ｂは、クラウドサービス網５Ｂを介してユーザ端末２Ｂにグループウェアサービスを提供するとともに、グループウェアサービスを利用したユーザ端末２Ｂのユーザによるサービス利用内容を示すサービス利用情報を蓄積する。
【００１６】
なお、サーバ３Ａ、３Ｂにおいて、蓄積されたユーザのサービス利用情報は、このユーザに提供するグループウェアサービスに反映される。
【００１７】
情報提供装置１は、サーバ３Ａから、このサーバ３Ａに蓄積されているユーザ端末２Ａのユーザのサービス利用情報を収集して蓄積するとともに、サーバ３Ｂから、このサーバ３Ｂに蓄積されているユーザ端末２Ｂのユーザのサービス利用情報を収集して蓄積する（サービス利用情報収集処理）。
【００１８】
また、情報提供装置１は、いずれかのユーザ端末２Ａ、２Ｂから情報取得要求を受信した場合、この情報取得要求で指定されている取得対象者がこの情報取得要求で指定されている取得要求者にサービス利用情報を提供可能なグループウェアサービスのサービス種別を判断する。そして、サービス利用情報を提供可能なサービス種別があるならば、このサービス種別のグループウェアサービスのサービス利用情報を、情報提供装置１に蓄積されている取得対象者のサービス利用情報のなかから抽出して情報取得要求の送信元に送信する（サービス利用情報提供処理）。
【００１９】
さらに、情報提供装置１は、サーバ３Ａ、３Ｂから収集したサービス利用情報が、いずれかのサーバ３Ａ、３Ｂが提供するグループウェアサービスを利用する他のユーザを所定立場のユーザとして含んでいる場合（例えば、対象ユーザが利用したグループウェアサービスがスケジューラであり、いずれかのサーバ３Ａ、３Ｂが提供するグループウェアサービスを利用する他のユーザを参加者として含む打合せをスケジューリングしたことを示すサービス利用情報である場合）、対象ユーザのサービス利用情報を、サーバ３Ａ、３Ｂに蓄積されている他のユーザのサービス利用情報に反映させる（サービス利用情報反映処理）。
【００２０】
また、情報提供装置１は、いずれかのユーザ端末２Ａ、２Ｂから受信した許可登録要求に基づいて、この許可登録要求で指定されている許可要求者がこの許可登録要求で指定されている許可対象者にサービス利用情報の提供を許可するグループウェアサービスのサービス種別を登録する（情報提供許可登録処理）。
【００２１】
図２は、情報提供装置１のサービス利用情報収集処理の一例を説明するためのシーケンス図である。
【００２２】
ユーザ端末２Ａが、自ユーザ端末２Ａのユーザ（ユーザＡとする）の指示に従ってサーバ３Ａにアクセスし、サーバ３Ａが提供するグループウェアサービスを利用したものとする（Ｓ１００）。これを受けて、サーバ３Ａは、ユーザ端末２Ａに提供したグループウェアサービスの内容（ユーザＡによるサービス利用内容）を示すサービス利用情報をユーザＡに対応付けて蓄積する（Ｓ１０１）。また、ユーザ端末２Ａは、更新要求者としてユーザＡの指定を伴う情報更新通知を情報提供装置１に送信する（Ｓ１０２）。
【００２３】
情報提供装置１は、ユーザ端末２Ａから情報更新通知を受信すると、この情報更新通知で更新要求者として指定されているユーザＡが利用するグループウェアサービスの提供サーバ３Ａを特定する。そして、このサーバ３Ａに、ユーザＡの指定を伴う情報送信要求を送信する（Ｓ１０３）。これを受けて、サーバ３Ａは、自身に蓄積されているサービス利用情報のなかから、情報送信要求で指定されているユーザＡのサービス利用情報を抽出し、このサービス利用情報を情報提供装置１に送信する（Ｓ１０４）。それから、情報提供装置１は、サーバ３Ａから受信したユーザＡのサービス利用情報を蓄積する（Ｓ１０５）。
【００２４】
同様に、ユーザ端末２Ｂが、自ユーザ端末２Ｂのユーザ（ユーザＢとする）の指示に従ってサーバ３Ｂにアクセスし、サーバ３Ｂが提供するグループウェアサービスを利用したものとする（Ｓ１１０）。これを受けて、サーバ３Ｂは、ユーザ端末２Ｂに提供したグループウェアサービスの内容（ユーザＢによるサービス利用内容）を示すサービス利用情報をユーザＢに対応付けて蓄積する（Ｓ１１１）。また、ユーザ端末２Ｂは、更新要求者としてユーザＢの指定を伴う情報更新通知を情報提供装置１に送信する（Ｓ１１２）。
【００２５】
情報提供装置１は、ユーザ端末２Ｂから情報更新通知を受信すると、この情報更新通知で更新要求者として指定されているユーザＢが利用するグループウェアサービスの提供サーバ３Ｂを特定する。そして、このサーバ３Ｂに、ユーザＢの指定を伴う情報送信要求を送信する（Ｓ１１３）。これを受けて、サーバ３Ｂは、自身に蓄積されているサービス利用情報のなかから、情報送信要求で指定されているユーザＢのサービス利用情報を抽出し、このサービス利用情報を情報提供装置１に送信する（Ｓ１１４）。それから、情報提供装置１は、サーバ３Ｂから受信したユーザＢのサービス利用情報を蓄積する（Ｓ１１５）。
【００２６】
図３は、情報提供装置１のサービス利用情報提供処理の一例を説明するためのシーケンス図である。
【００２７】
ユーザＡが、ユーザＢのサービス利用情報を取得するための情報取得操作をユーザ端末２Ａに対して行ったものとする（Ｓ１２０）。これを受けて、ユーザ端末２Ａは、取得要求者としてユーザＡが指定され、かつ取得対象者としてユーザＢが指定された情報取得要求を情報提供装置１に送信する（Ｓ１２１）。
【００２８】
情報提供装置１は、ユーザ端末２Ａから情報取得要求を受信すると、予め登録されているユーザＢの情報提供許可リストに基づいて、取得対象者であるユーザＢが取得要求者であるユーザＡにサービス利用情報を提供可能なグループウェアサービスのサービス種別を判断する（Ｓ１２２）。ここでは、ユーザＢがユーザＡにサービス利用情報を提供可能なサービス種別ありと判断したものとする。この場合、情報提供装置１は、自身に蓄積されているユーザＢのサービス利用情報のなかから、ユーザＡにサービス利用情報を提供可能なサービス種別のグループウェアサービスのサービス利用情報を抽出して、このサービス利用情報をユーザ端末２Ａに送信する（Ｓ１２３）。これを受けて、ユーザ端末２Ａは、情報提供装置１から受信したユーザＢのサービス利用情報を表示する（Ｓ１２４）。
【００２９】
同様に、ユーザＢが、ユーザＡのサービス利用情報を取得するための情報取得操作をユーザ端末２Ｂに対して行ったものとする（Ｓ１３０）。これを受けて、ユーザ端末２Ｂは、取得要求者としてユーザＢが指定され、かつ取得対象者としてユーザＡが指定された情報取得要求を情報提供装置１に送信する（Ｓ１３１）。
【００３０】
情報提供装置１は、ユーザ端末２Ｂから情報取得要求を受信すると、予め登録されているユーザＡの情報提供許可リストに基づいて、取得対象者であるユーザＡが取得要求者であるユーザＢにサービス利用情報を提供可能なグループウェアサービスのサービス種別を判断する（Ｓ１３２）。ここでは、ユーザＡがユーザＢにサービス利用情報を提供可能なサービス種別なしと判断したものとする。この場合、情報提供装置１は、ユーザＡのサービス利用情報を提供できない旨のエラーメッセージをユーザ端末２Ｂに送信する（Ｓ１３３）。これを受けて、ユーザ端末２Ｂは、情報提供装置１から受信したエラーメッセージを表示する（Ｓ１３４）。
【００３１】
図４は、情報提供装置１のサービス利用情報反映処理の一例を説明するためのシーケンス図である。このシーケンスは、サービス利用情報収集処理により情報提供装置１にサービス利用情報が蓄積されることにより開始される。
【００３２】
ユーザ端末２Ａがサーバ３Ａのグループウェアサービスを利用した結果、サービス利用情報収集処理（図２参照）により、ユーザＡのサービス利用情報が情報提供装置１に蓄積されたものとする（Ｓ１４０）。情報提供装置１は、新たに蓄積されたユーザＡのサービス利用情報を解析して、このサービス利用情報のなかに、利用したグループウェアサービスのサービス種別が「スケジューラ」であり、かつサービス利用内容が「打合せ」であるサービス利用情報が含まれているか否かを判断する（Ｓ１４１）。ここでは、このようなサービス利用情報が、新たに蓄積されたユーザＡのサービス利用情報のなかに含まれているものとする。
【００３３】
これを受けて、情報提供装置１は、サービス種別「スケジューラ」、サービス利用内容「打合せ」のサービス利用情報で指定されている参加者に他のユーザが含まれているか否かをさらに判断する（Ｓ１４２）。ここでは、参加者にユーザＢが含まれているものとする。つぎに、情報提供装置１は、参加者であるユーザＢが利用するグループウェアサービスの提供サーバであるサーバ３Ｂを特定する（Ｓ１４３）。
【００３４】
それから、情報提供装置１は、サービス種別「スケジューラ」、サービス利用内容「打合せ」のサービス利用情報の参加者に含まれている「ユーザＢ」を「ユーザＡ」に変更してユーザＢのサービス利用情報を生成し、このサービス利用情報を含む情報反映要求をサーバ３Ｂに送信する（Ｓ１４４）。
【００３５】
サーバ３Ｂは、情報提供装置１から情報反映要求を受信すると、この情報反映要求に含まれているユーザＢのサービス利用情報を蓄積して（Ｓ１４５）、このサービス利用情報を、ユーザＢに提供するグループウェアサービスに反映する。これにより、ユーザＢは、ユーザ端末２Ｂを用いてサーバ３Ｂにアクセスしてグループウェアサービスのスケジューラを利用することにより、ユーザＡとの打合せが追加されたことを確認できる。
【００３６】
図５は、情報提供装置１の情報提供許可登録処理の一例を説明するためのシーケンス図である。
【００３７】
ユーザＡが、ユーザＢに提供を許可するサービス利用情報を登録するための許可登録操作をユーザ端末２Ａに対して行ったものとする（Ｓ１５０）。これを受けて、ユーザ端末２Ａは、許可要求者としてユーザＡが指定され、許可対象者としてユーザＢが指定され、かつ、ユーザＡがユーザＢにサービス利用情報の提供を許可するグループウェアサービスのサービス種別である許可サービス種別が指定された許可登録要求を情報提供装置１に送信する（Ｓ１５１）。
【００３８】
情報提供装置１は、ユーザ端末２Ａから許可登録要求を受信すると、この許可登録要求に基づいて、予め登録されている許可要求者であるユーザＡの情報提供許可リストに、許可対象者であるユーザＢの許可サービス種別を登録して、ユーザＡの情報提供許可リストを更新する（Ｓ１５２）。
【００３９】
同様に、ユーザＢが、ユーザＡに提供を許可するサービス利用情報を登録するための許可登録操作をユーザ端末２Ｂに対して行ったものとする（Ｓ１５３）。これを受けて、ユーザ端末２Ｂは、許可要求者としてユーザＢが指定され、許可対象者としてユーザＡが指定され、かつ、ユーザＢがユーザＡにサービス利用情報の提供を許可するグループウェアサービスのサービス種別である許可サービス種別が指定された許可登録要求を情報提供装置１に送信する（Ｓ１５４）。
【００４０】
情報提供装置１は、ユーザ端末２Ｂから許可登録要求を受信すると、この許可登録要求に基づいて、予め登録されている許可要求者であるユーザＢの情報提供許可リストに、許可対象者であるユーザＡの許可サービス種別を登録して、ユーザＢの情報提供許可リストを更新する（Ｓ１５５）。
【００４１】
つぎに、本実施の形態に係る情報提供装置１の詳細を説明する。なお、情報提供装置１とともに図１に示すネットワークシステムを構成するユーザ端末２Ａ、２Ｂおよびサーバ３Ａ、３Ｂには、既存の装置を利用できるので、その詳細な説明を省略する。
【００４２】
図６は、情報提供装置１の概略機能構成図である。
【００４３】
図示するように、情報提供装置１は、ネットワーク接続インターフェース部１００と、情報記憶部１０１と、収集先情報記憶部１０２と、情報提供許可リスト記憶部１０３と、更新通知受信部１０４と、情報収集部１０５と、情報取得要求受信部１０６と、提供可否判断部１０７と、情報提供部１０８と、情報反映部１０９と、許可情報受信部１１０と、許可情報登録部１１１と、を備えている。
【００４４】
ネットワーク接続インターフェース部１００は、インターネット４を介してユーザ端末２Ａ、２Ｂおよびサーバ３Ａ、３Ｂと通信するためのインターフェースである。
【００４５】
情報記憶部１０１には、各ユーザのサービス利用情報が記憶される。
【００４６】
図７は、情報記憶部１０１の登録内容例を模式的に表した図である。
【００４７】
図示するように、情報記憶部１０１には、ユーザ毎にサービス利用情報のテーブル１０１０が記憶されている。テーブル１０１０には、対応するユーザのサービス利用情報のレコード１０１１が登録される。レコード１０１１は、ユーザが利用したグループウェアサービスのサービス種別（スケジューラ、プレゼンス、掲示板等）を登録するフィールド１０１２と、ユーザによるサービス利用内容（ユーザの操作内容、入力情報の詳細等）を登録するフィールド１０１３と、を有する。
【００４８】
収集先情報記憶部１０２には、各ユーザが利用するグループウェアサービスの提供サーバであるサービス利用情報の収集先に関する情報が記憶される。
【００４９】
図８は、収集先情報記憶部１０２の登録内容例を模式的に表した図である。
【００５０】
図示するように、収集先情報記憶部１０２には、ユーザ毎に収集先情報のレコード１０２０が記憶されている。レコード１０２０は、ユーザ名を登録するフィールド１０２１と、ユーザが利用するグループウェアサービスの提供サーバのサーバ名、アドレスを含む収集先情報を登録するフィールド１０２２と、を有する。
【００５１】
情報提供許可リスト記憶部１０３には、各ユーザが他のユーザにサービス利用情報の提供を許可するグループウェアサービスのサービス種別に関する情報が記憶される。
【００５２】
図９は、情報提供許可リスト記憶部１０３の登録内容例を模式的に表した図である。
【００５３】
図示するように、情報提供許可リスト記憶部１０３には、ユーザ毎に情報提供許可リストのテーブル１０３０が記憶されている。テーブル１０３０には、対象ユーザ以外のユーザ毎に許可情報のレコード１０３１が登録される。レコード１０３１は、対象ユーザ以外のユーザのユーザ名を登録するフィールド１０３２と、このユーザにサービス利用情報を提供可能なグループウェアサービスのサービス種別を登録するフィールド１０３３と、を有する。
【００５４】
更新通知受信部１０４は、ネットワーク接続インターフェース部１００を介してユーザ端末２Ａ、２Ｂから情報更新通知を受信する。
【００５５】
情報収集部１０５は、収集先情報記憶部１０２を参照して、更新通知受信部１０４により受信された情報更新通知で指定されている更新要求者のサービス利用情報の収集先を特定する。そして、ネットワーク接続インターフェース部１００を介して収集先のサーバ３Ａ、３Ｂから更新要求者のサービス利用情報を収集して情報記憶部１０１に記憶する。
【００５６】
情報取得要求受信部１０６は、ネットワーク接続インターフェース部１００を介してユーザ端末２Ａ、２Ｂから情報取得要求を受信する。
【００５７】
提供可否判断部１０７は、情報提供許可リスト記憶部１０３を参照して、情報取得要求受信部１０６により受信された情報取得要求で指定されている取得対象者がこの情報取得要求で指定されている取得要求者にサービス利用情報の提供を許可するグループウェアサービスのサービス種別を判断する。
【００５８】
情報提供部１０８は、提供可否判断部１０７での判断結果に従い、情報取得要求受信部１０６により受信された情報取得要求で指定されている取得対象者のサービス利用情報を情報記憶部１０１から抽出する。そして、抽出したサービス利用情報を、ネットワーク接続インターフェース部１００を介して情報取得要求の送信元のユーザ端末２Ａ、２Ｂに送信する。
【００５９】
情報反映部１０９は、情報収集部１０５によって収集されたサービス利用情報のサービス種別、サービス利用内容が「スケジューラ」、「打合せ」であり、かつこのサービス利用情報が参加者として他のユーザを含んでいる場合、このサービス利用情報で指定されている参加者を他のユーザからサービス利用情報の対象ユーザに変更して、この他のユーザのサービス利用情報を生成する。そして、収集先情報記憶部１０２を参照して、この他のユーザが利用するグループウェアサービスの提供サーバ３Ａ、３Ｂを特定し、特定した提供サーバ３Ａ、３Ｂに、ネットワーク接続インターフェース部１００を介して、この他のユーザのサービス利用情報を含む情報反映要求を送信する。
【００６０】
許可情報受信部１１０は、ネットワーク接続インターフェース部１００を介してユーザ端末２Ａ、２Ｂから、許可要求者、許可対象者、および許可要求者により許可対象者にサービス利用情報の提供が許可されたグループウェアサービスのサービス種別の指定を含む許可登録要求を受信する。
【００６１】
許可情報登録部１１１は、許可情報受信部１１０により受信された許可登録要求に基づいて、情報提供許可リスト記憶部１０３に許可要求者の許可情報を登録する。
【００６２】
図１０は、情報提供装置１の動作を説明するためのフロー図である。
【００６３】
更新通知受信部１０４が、ネットワーク接続インターフェース部１００を介していずれかのユーザ端末２Ａ、２Ｂから情報更新通知を受信すると（Ｓ２００でＹＥＳ）、情報提供装置１は、図２に例示したサービス利用情報収集処理、および図４に例示したサービス利用情報反映処理を順番に実施する（Ｓ２１０、Ｓ２２０）。また、情報取得要求受信部１０６が、ネットワーク接続インターフェース部１００を介していずれかのユーザ端末２Ａ、２Ｂから情報取得要求を受信すると（Ｓ２３０でＹＥＳ）、情報提供装置１は、図３に例示したサービス利用情報提供処理を実施する（Ｓ２４０）。
【００６４】
また、許可情報受信部１１０が、ネットワーク接続インターフェース部１００を介していずれかのユーザ端末２Ａ、２Ｂから許可登録要求を受信すると（Ｓ２５０でＹＥＳ）、情報提供装置１は、図５に例示した情報提供許可登録処理を実施する（Ｓ２５１）。すなわち、許可情報受信部１１０は、受信した許可登録要求を許可情報登録部１１１に渡す。これを受けて、許可情報登録部１１１は、許可登録要求で指定されている許可要求者の情報提供許可リストのテーブル１０３０を情報提供許可リスト記憶部１０３から検索し、さらにこのテーブル１０３０から、許可登録要求で指定されている許可対象者がフィールド１０３２に登録されている許可対象者のレコード１０３１を検索する。そして、許可対象者のレコード１０３１を検索できたならば、このレコード１０３１のフィールド１０３３の登録内容を、許可登録要求で指定されている許可サービス種別に更新する。一方、許可対象者のレコード１０３１を検索できなかったならば、許可要求者の情報提供許可リストのテーブル１０３０に新たにレコード１０３１を追加して、このレコード１０３１のフィールド１０３２に許可登録要求で指定されている許可対象者を登録し、フィールド１０３３に許可登録要求で指定されている許可サービス種別を登録する。なお、許可登録要求においていずれの許可サービス種別も指定されていない場合は、フィールド１０３３をヌルデータ（空欄）とする。
【００６５】
図１１は、図１０のＳ２１０（サービス利用情報収集処理）を説明するためのフロー図である。
【００６６】
更新通知受信部１０４は、受信した情報更新通知を情報収集部１０５に渡す。これを受けて、情報収集部１０５は、収集先情報記憶部１０２を参照し、この情報更新通知で指定されている更新要求者が利用するグループウェアサービスの提供サーバ３Ａ、３Ｂ（収集先）を特定する（Ｓ２１１）。それから、情報収集部１０５は、ネットワーク接続インターフェース部１００を介して、収集先に特定されたサーバ３Ａ、３Ｂに、更新要求者の指定を伴う情報送信要求を送信する（Ｓ２１２）。
【００６７】
つぎに、情報収集部１０５は、収集先に特定されたサーバ３Ａ、３Ｂから、ネットワーク接続インターフェース部１００を介して更新要求者のサービス利用情報を受信する。それから、情報収集部１０５は、情報記憶部１０１に記憶されている更新要求者のサービス利用情報のテーブル１０１０を特定し、このテーブル１０１０に、受信したサービス利用情報のレコード１０１１を登録する（Ｓ２１３）。
【００６８】
図１２は、図１０のＳ２２０（サービス利用情報反映処理）を説明するためのフロー図である。
【００６９】
情報収集部１０５は、図１１のＳ２１３において情報記憶部１０１に新たに登録したサービス利用情報を情報反映部１０９に出力する。これを受けて、情報反映部１０９は、情報収集部１０５から受け取ったサービス利用情報を解析する（Ｓ２２１）。
【００７０】
解析の結果、このサービス利用情報のサービス種別が「スケジューラ」であり、かつサービス利用内容が「打合せ」であることが判明したならば（Ｓ２２２でＹＥＳ）、サービス利用情報で指定されている参加者に、収集先情報記憶部１０２に収集先情報が登録されている他のユーザ（反映先ユーザとする）が含まれているか否かを判断する（Ｓ２２３）。そして、参加者に反映先ユーザが含まれているならば（Ｓ２２３でＹＥＳ）、情報収集部１０５から受け取ったサービス利用情報で指定されている参加者を反映先ユーザからこのサービス利用情報の対象ユーザに変更して反映先ユーザのサービス利用情報を生成する（Ｓ２２４）。
【００７１】
つぎに、情報反映部１０９は、反映先ユーザの収集先情報に基づいて、反映先ユーザが利用するグループウェアサービスの提供サーバ３Ａ、３Ｂを特定する（Ｓ２２５）。それから、情報反映部１０９は、ネットワーク接続インターフェース部１００を介して、特定した提供サーバ３Ａ、３Ｂに、反映先ユーザのサービス利用情報を含む情報反映要求を送信する（Ｓ２２６）。
【００７２】
図１３は、図１０のＳ２４０（サービス利用情報提供処理）を説明するためのフロー図である。
【００７３】
情報取得要求受信部１０６は、受信した情報取得要求を提供可否判断部１０７に渡す。これを受けて、提供可否判断部１０７は、情報取得要求で指定された取得対象者の情報提供許可リストのテーブル１０３０を情報提供許可リスト記憶部１０３から検索する。そして、情報取得要求で指定された取得要求者の許可情報のレコード１０３１を取得対象者の情報提供許可リストのテーブル１０３０から検索し、このレコード１０３１に登録されている許可サービス種別を判断する（Ｓ２４１）。
【００７４】
取得要求者の許可情報のレコード１０３１に許可サービス種別が登録されていない場合（Ｓ２４２でＮＯ）、提供可否判断部１０７は、その旨を情報提供部１０８に通知する。これを受けて、情報提供部１０８は、ネットワーク接続インターフェース部１００を介して情報取得要求の送信元であるユーザ端末２Ａ、２Ｂに、取得対象者のサービス利用情報を提供不可能である旨のエラーメッセージを送信する（Ｓ２４３）。
【００７５】
一方、取得要求者の許可情報のレコード１０３１に許可サービス種別が登録されている場合（Ｓ２４２でＹＥＳ）、提供可否判断部１０７は、取得対象者および許可サービス種別を情報提供部１０８に通知する。これを受けて、情報提供部１０８は、情報記憶部１０１から取得対象者のサービス利用情報のテーブル１０１０を検索する。そして、取得対象者のサービス利用情報のテーブル１０１０から許可サービス種別のサービス利用情報を抽出する（Ｓ２４４）。それから、情報提供部１０８は、ネットワーク接続インターフェース部１００を介して情報取得要求の送信元であるユーザ端末２Ａ、２Ｂに、取得対象者の許可サービス種別のサービス利用情報を送信する（Ｓ２４５）。
【００７６】
以上、本発明の一実施の形態を説明した。
【００７７】
本実施の形態において、情報提供装置１は、サーバ３Ａ、３Ｂからユーザのサービス利用情報を収集して蓄積する。また、ユーザ端末２Ａ、２Ｂから取得要求者および取得対象者の指定を伴う情報取得要求を受け付けた場合に、サービス利用情報を他のユーザに提供可能なグループウェアサービスのサービス種別が記述された取得対象者の情報提供許可リストに基づいて、取得対象者が取得要求者にサービス利用情報を提供可能なグループウェアサービスのサービス種別を判断する。そして、取得対象者が取得要求者にサービス利用情報を提供可能なサービス種別があるならば、自身に蓄積されている取得対象者のサービス利用情報からこのサービス種別のサービス利用情報を抽出し、情報取得要求の送信元のユーザ端末２Ａ、２Ｂに送信する。したがって、本実施の形態によれば、ユーザは、グループウェアサービスを利用するためのログイン情報を他のユーザに知らせることなく、自身のサービス利用情報をこの他のユーザに提供することができる。
【００７８】
また、本実施の形態において、情報提供装置１は、ユーザ端末２Ａ、２Ｂから情報更新通知を受信すると、情報更新通知で指定されている更新要求者にグループウェアサービスを提供するサーバ３Ａ、３Ｂにアクセスして、更新要求者のサービス利用情報を収集する。したがって、本実施の形態によれば、ユーザ端末２Ａ、２Ｂが、サーバ３Ａ、３Ｂにアクセスしてグループウェアサービスを利用する都度、自ユーザ端末２Ａ、２Ｂのユーザを更新要求者とする情報更新要求を情報提供装置１に送信することにより、情報提供装置１に蓄積されているサービス利用情報を最新の状態とすることができる。
【００７９】
また、本実施の形態において、情報提供装置１は、サーバ３Ａ、３Ｂから収集したサービス利用情報のサービス種別、サービス利用内容が「スケジューラ」、「打合せ」であり、かつ参加者として他のユーザが指定されている場合に、このサービス利用情報の参加者を他のユーザからサービス利用情報の対象ユーザに変更して、他のユーザのサービス利用情報を生成する。そして、他のユーザのサービス利用情報を含む情報反映要求を、他のユーザが利用するグループウェアサービスの提供サーバ３Ａ、３Ｂに送信して、提供サーバ３Ａ、３Ｂに他のユーザのサービス利用情報を蓄積させている。これにより、サービス種別「スケジューラ」、サービス利用内容「打合せ」のサービス利用情報を、この打合せに参加する複数のユーザ間で共有することができる。
【００８０】
なお、本発明は上記の実施の形態に限定されるものではなく、その要旨の範囲内で数々の変形が可能である。
【００８１】
例えば、上記の実施の形態において、情報提供装置１は、ユーザ端末２Ａ、２Ｂから情報更新通知を受信した場合に、情報更新通知で指定されている更新要求者にグループウェアサービスを提供するサーバ３Ａ、３Ｂにアクセスして、更新要求者のサービス利用情報を収集している。しかし、本発明はこれに限定されない。情報提供装置１は、収集先情報記憶部１０２に登録されているレコード１０２０毎に、このレコード１０２０の収集先情報により特定されるサーバ３Ａ、３Ｂに定期的にアクセスして、このレコード１０２０のユーザのサービス利用情報を収集するようにしてもよい。
【００８２】
あるいは、情報提供装置１は、ユーザ端末２Ａ、２Ｂから情報取得要求を受信した場合に、情報取得要求で指定されている取得対象者のサービス利用情報を情報取得要求の送信元に送信するのに先立って、取得対象者が利用するグループウェアサービスの提供サーバ３Ａ、３Ｂにアクセスして、このサーバ３Ａ、３Ｂから取得対象者のサービス利用情報を収集して蓄積するようにしてもよい。このようにすることにより、情報取得要求の送信元のユーザ端末２Ａ、２Ｂに、情報取得要求で指定されている取得対象者の最新のサービス利用情報を提供することができる。
【００８３】
また、上記の実施の形態において、ユーザが他のユーザに提供可能なサービス利用情報を特定するための情報種別としてグループウェアサービスのサービス種別を用いているが、例えば、サービス利用内容に含まれる個々の情報を特定する情報名等、グループウェアサービスのサービス種別以外の種別を、ユーザが他のユーザに提供可能なサービス利用情報を特定するための情報種別として用いてもよい。
【００８４】
また、上記の実施の形態において、情報提供装置１は、サーバ３Ａ、３Ｂから収集したサービス利用情報のサービス種別、サービス利用内容が「スケジューラ」、「打合せ」であり、かつ参加者として他のユーザが指定されている場合に、このサービス利用情報の参加者を他のユーザからサービス利用情報の対象ユーザに変更して、他のユーザのサービス利用情報を生成し、この他のユーザのサービス利用情報を含む情報反映要求を、この他のユーザが利用するグループウェアサービスの提供サーバ３Ａ、３Ｂに送信している。しかし、本発明はこれに限定されない。情報提供装置１は、サーバ３Ａ、３Ｂから収集したサービス利用情報が、サーバ３Ａ、３Ｂが提供するグループウェアサービスを利用する他のユーザを、参加者、ゲスト等の所定立場のユーザとして含んでいる場合に、サーバ３Ａ、３Ｂに蓄積されている他のユーザのサービス利用情報に、この対象ユーザのサービス利用情報を反映させるものであればよい。
【００８５】
また、上記の実施の形態において、図６に示す情報提供装置１の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウェア的に実現されるものでもよい。または、ＣＰＵと、メモリと、ＨＤＤ、ＤＶＤ−ＲＯＭ等の補助記憶装置と、ＮＩＣ（Ｎｅｔｗｏｒｋ  Ｉｎｔｅｒｆａｃｅ  Ｃｏｎｔｒｏｌｌｅｒ）等の通信インターフェースと、を備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することで実現されるものでもよい。
【００８６】
また、上記の実施の形態では、サーバ３Ａ、３Ｂがクラウドサービス網５Ａ、５Ｂを介してユーザ端末２Ａ、２Ａのユーザにグループウェアサービスを提供する場合を例に取り説明したが、本発明は、複数のサーバがクラウドサービス網を介してクラウドサービスを提供する場合に広く適用可能である。
【符号の説明】
【００８７】
１：情報提供装置、  ２Ａ、２Ａ−１〜２Ａ−ｎ、２Ｂ、２Ｂ−１〜２Ｂ−ｎ：ユーザ端末、  ３Ａ、３Ｂ：サーバ、  ４：インターネット、  ５Ａ、５Ｂ：クラウドサービス網、  １００：ネットワーク接続インターフェース部、  １０１：情報記憶部、  １０２：収集先情報記憶部、  １０３：情報提供許可リスト記憶部、  １０４：更新通知受信部、  １０５：情報収集部、  １０６：情報取得要求受信部、  １０７：提供可否判断部、  １０８：情報提供部、  １０９：情報反映部、  １１０：許可情報受信部、  １１１：許可情報登録部
【図１】
2018133041.tif 000003
【図２】
2018133041.tif 000004
【図３】
2018133041.tif 000005
【図４】
2018133041.tif 000006
【図５】
2018133041.tif 000007
【図６】
2018133041.tif 000008
【図７】
2018133041.tif 000009
【図８】
2018133041.tif 000010
【図９】
2018133041.tif 000011
【図１０】
2018133041.tif 000012
【図１１】
2018133041.tif 000013
【図１２】
2018133041.tif 000014
【図１３】
2018133041.tif 000015